(57)【要約】      （修正有）【課題】自動車エンジン始動を一定の手順で操作しない限りエンジン駆動回路に電源が供給されない高齢者による自動車エンジン始動制御装置及び方法を提供する。【解決手段】自動車のエンジン駆動用スターターに電源を供給するにはキーパットモジュールから西暦年、月、日、曜日を正確に入力されたときのみエンジン駆動回路に電源が供給される制御装置及び方法。【選択図】図２
2018135083.tif 000002
【特許請求の範囲】
【請求項１】
自動車エンジン駆動回路に、西暦年または和暦年更に月、日、曜日が自動車を運転しようとする年、月、日、曜日に同期しないと自動車エンジン駆動回路に電源が供給されない制御装置及び方法。
【請求項２】
前記西暦年または和暦年の年、月、日、曜日は電波カレンダーをＣＰＵにプログラム化したものに、キーパットから入力操作できる任意カレンダーで同期させる。又、キーパットから入力する際、一定の入力時間を設定できるようにする。更に誤入力した場合、その回数により長時間自動車エンジン始動が出来ないようにする制御装置及び方法。
【請求項３】
前記の西暦年または和暦年の年、月、日、曜日、の入力は携帯電話の無線通信、又はＷｉＦｉのネット回線を利用して入力することも可能とする。
【発明の詳細な説明】
【技術分野】
【０００１】本発明は、認知症の恐れがある高齢者の自動車エンジン始動制御装置の提供をする。
【背景技術】
【０００２】従来の自動車エンジン始動装置はタッチパットモジュ―ルからパスワード設定によりそれぞれの自動車機能エンジンスタートなどに対応提供されている。（例えば、特許文献１）。
【特許文献１】特開２０１０−０１３０８１
【０００３】特許文献１の自動車の機能エンジンスタートはパスワード入力により制御している。
したがって、一度設定すると毎回同じパスの入力となるか、こまめなパスワードの変更は忘れるなどのトラブルのもとになる。【０００４】又、特許文献１には、認知症の恐れがある高齢者の自動車エンジン始動制御装置は全く記載されておらず、当認知症の恐れがある高齢者の自動車のエンジン始動制御装置を提案するもではない。
【発明の概要】
【発明が解決しようとする課題】
【０００５】認知症の恐れがある、又は、疑いのある高齢者が自動車エンジン始動をする際、一定の手順で操作しなければ、エンジン駆動回路に電源が供給されない制御装置及び方法。
【課題を解決するための手段】
【０００６】本発明は、認知症の恐れがある高齢者が自動車エンジンを始動する際、キーパットから西暦年又は和暦年で年、月、日、曜日を正確に入力しなければエンジン駆動回路に電源が供給されず、エンジン始動をできなくしたものである。
上記キーパットからの入力の際、一定の時間内に又、一定の回数内に正確に入力されなければ、長時間エンジン始動を出来なくしたものである。
【発明の効果】
【０００７】本発明は、自動車のエンジン始動をする前に当日の月、日、曜日を正確に記憶してなければ、自動車の運転は不可能となる。【０００８】認知症の初期から中期では、日付、曜日がわからなくなるなど生活に支障をきたすことがある。（国立障害者リハビリテーションセンター研究所）
認知症高齢者の自動車運転による事故は後を絶たず、認知症と診断されながら車の運転を続けている人は、予想以上に多いとみられていることから、本発明は、認知症の恐れがあると思われる運転者が自動車の運転をしようとしても、物理的にエンジンスタートが出来ないため、認知症患者による自動車暴走事故の防止策となる。
【図面の簡単な説明】
【０００９】
【図１】本発明の高齢者による自動車エンジン始動制御装置を図によって説明する。図１は年、月、日、曜日、を入力するキーパットを表す図である。図２は動作を表すフローチャートである。
【発明を実施するための形態】
【００１０】本発明は、認知症の恐れがある高齢者の自動車の運転を防止するための問題を解決し、認知症の疑いのある高齢者の自動車暴走事故の防止することを実現するものである。
【実施例】
【００１１】図２に基づいて説明する。
図１のキーパットより入力された年、月、日、曜日は１の任意カレンダーのＣＰＵで制御され、２の電波カレンダーの信号と同期が取れているかチェックされる。【００１２】チェックされ同期してない場合は誤入力と判断されデフォルトとなる。
年、月、日、曜日が正確に入力され同期した場合、３のＩ／Ｏ信号を出力。【００１３】出力されたＩ／Ｏは４のマイコン回路で５の小容量回路でのリレーＯＮ／ＯＦＦとなる。【００１４】自動車エンジン駆動電源は少なくとも５０Ａ以上の大容量が必要となるため、６のパワーＭＯＳＦＥＴ等で大容量のリレーを動作できるよう変換する回路。【００１５】大容量リレーをＯＮ／ＯＦＦできるようになれば、自動車エンジン駆動回路の、イグニッション、エンジンスターターカットリレー、最も簡単なバッテリー回路に接続可能となり、自動車エンジン始動を制御できる。
【符号の説明】
【００１６】１  キーパット入力用任意カレンダーＣＰＵ
２  電波時計万年カレンダー
３  Ｉ／Ｏ出力
４  マイコン
５  小容量リレー
６  大容量リレー
【受託番号】
【・・・・】
【配列表フリーテキスト】
【配列表】
【図１】
2018135083.tif 000003
【図２】
2018135083.tif 000004
【手続補正書】
【提出日】平成29年6月16日(2017.6.16)
【手続補正１】
【補正対象書類名】特許請求の範囲
【補正対象項目名】全文
【補正方法】変更
【補正の内容】
【特許請求の範囲】
【請求項１】
自動車エンジン駆動回路に、入力する西暦年、または和暦年更に月、日、曜日、が自動車を運転しようとする年、月、日、曜日に同期しないと自動車エンジン駆動回路に電源が供給されないことを特徴とする制御装置。
【請求項２】
前記西暦年または和暦年の年、月、日、曜日は電波カレンダーをＣＰＵにプログラム化したものに、キーをランダムに配列したキーパットから入力操作できる任意カレンダーで同期させ、又、ランダムに表示したキーパットから入力する際、一定の入力時間を設定できるようにし、更に誤入力した場合、その回数により長時間自動車エンジン始動が出来ないようにすることを特徴とする請求項１に記載の制御装置。
【請求項３】
前記の西暦年または和暦年の年、月、日、曜日の入力は携帯電話の無線通信、又はＷｉＦｉのネット回線を利用して入力することも可能とすることを特徴とする制御装置。
明細書
【手続補正２】
【補正対象書類名】明細書
【補正対象項目名】０００６
【補正方法】変更
【補正の内容】
【０００６】本発明は認知症の恐れがある高齢者が自動車エンジンを始動する際、入力する西暦年または和暦年更に月、日、曜日がキーをランダムに配列したキーパットから正確に入力しなければエンジン駆動回路に電源が供給されず、エンジン始動をできなくしたものである。
【手続補正３】
【補正対象書類名】明細書
【補正対象項目名】０００７
【補正方法】変更
【補正の内容】
【０００７】本発明は自動車のエンジン始動をする前に運転時の年、月、日、曜日を正確に記憶してなければ、自動車の運転は不可能となる。
【手続補正４】
【補正対象書類名】明細書
【補正対象項目名】０００９
【補正方法】変更
【補正の内容】
【０００９】（図１）は本発明の高齢者による自動車エンジン始動制御装置を図によって説明する。
図１は入力する年、月、日、曜日のキーをランダムに配列したキーパットを表す図である。
【手続補正５】
【補正対象書類名】明細書
【補正対象項目名】００１１
【補正方法】変更
【補正の内容】
【００１１】図１の入力項目がキーをランダムに配列したキーパットより入力された年、月、日、曜日は１の任意カレンダーのＣＰＵで制御され、２の電波カレンダーの信号と同期が取れているかチェックされる。
【手続補正６】
【補正対象書類名】明細書
【補正対象項目名】００１６
【補正方法】変更
【補正の内容】
【００１６】１、入力する年、月、日、曜日のキーをランダムに配列したキーパット任意カレンダーＣＰＵ。
【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
入力する西暦年、または和暦年更に月、日、曜日、が自動車を運転しようとする年、月、日、曜日に同期しないと自動車エンジン駆動回路に電源が供給されない装置と、キーをランダムに配列したキーパッドと、を備えたことを特徴とする制御装置。
【請求項２】
キーパッドから入力する際、一定の入力時間を設定できるようにし、更に誤入力した場合、その回数により長時間自動車エンジン始動が出来ないようにすることを特徴とする請求項１に記載の制御装置。
【請求項３】
前記西暦年、または和暦年更に月、日、曜日の入力は携帯電話の無線通信、またはＷｉＦｉのネット回線を利用して入力することを特徴とする請求項１に記載の制御装置。
明細書
【手続補正２】
【補正対象書類名】明細書
【補正対象項目名】０００６
【補正方法】変更
【補正の内容】
【０００６】本発明は認知症の恐れがある高齢者が自動車エンジンを始動する際、入力する西暦年または和暦年更に月、日、曜日がキーをランダムに配列したキーパットから正確に入力しなければエンジン駆動回路に電源が供給されず、エンジン始動をできなくしたものである。
【手続補正３】
【補正対象書類名】明細書
【補正対象項目名】０００７
【補正方法】変更
【補正の内容】
【０００７】本発明は自動車のエンジン始動をする前に運転時の年、月、日、曜日を正確に
記憶してなければ、自動車の運転は不可能となる。
【手続補正４】
【補正対象書類名】明細書
【補正対象項目名】０００９
【補正方法】変更
【補正の内容】
【０００９】（図１）は本発明の高齢者による自動車エンジン始動制御装置を図によって説明する。
図１は入力する年、月、日、曜日のキーをランダムに配列したキーパットを表す図である。
【手続補正５】
【補正対象書類名】明細書
【補正対象項目名】００１１
【補正方法】変更
【補正の内容】
【００１１】図１の入力項目がキーをランダムに配列したキーパットより入力された年、月、日、曜日は１の任意カレンダーのＣＰＵで制御され、２の電波カレンダーの信号と同期が取れているかチェックされる。
【手続補正６】
【補正対象書類名】明細書
【補正対象項目名】００１６
【補正方法】変更
【補正の内容】
【００１６】１、入力する年、月、日、曜日のキーをランダムに配列したキーパット任意カレンダーＣＰＵ。